(57)【要約】      （修正有）【課題】安定した過酸化水素検出が高感度で可能な、染料、染料粒子複合体および検出用構造体の提供。【解決手段】構造式１で表される構造を有する染料を用い、過酸化水素を検出する。2019214712.tif 000028（構造式１中Ｒ１、Ｒ２は、それぞれ独立に水素原子または末端にベンゼン環を有してもよい炭素数が１から８の炭化水素鎖のいずれかであり、Ｒ３、Ｒ４は、それぞれ独立に、カルボン酸基、スルホン酸基、またはリン酸基であり、Ａ１からＡ５の少なくともいずれかのσ値が正の置換基を示し、ｎは１以上５以下の整数である。）【選択図】なし【特許請求の範囲】
【請求項１】
下記構造式１で表される構造を有する過酸化水素検出用染料。
【化１】
2019214712.tif 000014
（ただし、構造式１中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立に、カルボン酸基、スルホン酸基、またはリン酸基であり、Ａ１からＡ５の少なくともいずれかのσ値が正の置換基を示し、ｎは１以上５以下の整数である。）
【請求項２】
下記構造式２、３または４で表される構造を有する、請求項１に記載の過酸化水素検出用染料。
【化２】
2019214712.tif 000015
【化３】
2019214712.tif 000016
【化４】
2019214712.tif 000017
（ただし、構造式２、３および４中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立にカルボン酸基、スルホン酸基、またはリン酸基であり、Ａ６はσ値が正の置換基を表す。）
【請求項３】
粒子と、前記粒子の表層に吸着した染料とを含む染料粒子複合体であって、
前記粒子が正帯電性の粒子であり、
前記染料が下記構造式１で表される構造を有することを特徴とする染料粒子複合体。
【化５】
2019214712.tif 000018
（ただし、構造式１中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立に、カルボン酸基、スルホン酸基、またはリン酸基であり、Ａ１からＡ５はσ値が正の置換基を示し、ｎは１以上５以下の整数である。）
【請求項４】
前記染料が下記構造式２、３または４で表される構造を有することを特徴とする、請求項３に記載の染料粒子複合体。
【化６】
2019214712.tif 000019
【化７】
2019214712.tif 000020
【化８】
2019214712.tif 000021
（ただし、構造式２、３および４中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立にカルボン酸基、スルホン酸基、またはリン酸基であり、Ａ６はσ値が正の置換基を表す。）
【請求項５】
前記Ａ６が、ＣＯＯＨ、ＣＯＯＣＨ３、及びＣＮからなる群より選択される少なくとも１種であることを特徴とする、請求項４に記載の染料粒子複合体。
【請求項６】
前記正帯電性の粒子を水性溶剤に分散した分散液と、染料を水性溶剤に溶解した水溶液を混合する工程を含む、請求項３乃至５のいずれか１項に記載の染料粒子複合体の製造方法。
【請求項７】
請求項３乃至５のいずれか１項に記載の染料粒子複合体と基材とを含む過酸化水素検出用構造体。
【請求項８】
生体サンプル中に含まれる過酸化水素の検出方法であって、
染料粒子複合体が基材に塗布された過酸化水素検出用構造体に、生体サンプルを接触させる工程、および前記構造体に前記生体サンプルを接触させた後、前記染料粒子複合体を前記基材に塗布した領域の染料粒子複合体の発色量を測定する工程と、を有し、
前記染料粒子複合体が、粒子と、前記粒子の表層に吸着した染料とを含み、
前記粒子が正帯電性の粒子であり、
前記染料が下記構造式１で表される構造を有することを特徴とする過酸化水素の検出方法。
【化９】
2019214712.tif 000022
（ただし、構造式１中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立に、カルボン酸基、スルホン酸基、またはリン酸基であり、Ａ１からＡ５はσ値が正の置換基を示し、ｎは１以上５以下の整数である。）
【請求項９】
生体サンプル中に含まれる代謝物の検出方法であって、
生体サンプルに、検出対象である代謝物を基質として過酸化水素を発生する酵素を加える工程と、染料粒子複合体が基材に塗布された過酸化水素検出用構造体に、前記生体サンプルを接触させる工程と、および前記構造体に前記生体サンプルを接触させた後、前記染料粒子複合体を前記基材に塗布した領域の染料粒子複合体の発色量を測定する工程と、を有し、
前記染料粒子複合体が、粒子と、前記粒子の表層に吸着した染料とを含み、
前記粒子が正帯電性の粒子であり、
前記染料が下記構造式１で表される構造を有することを特徴とする代謝物の検出方法。
【化１０】
2019214712.tif 000023
（ただし、構造式１中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立に、カルボン酸基、スルホン酸基、またはリン酸基であり、Ａ１からＡ５はσ値が正の置換基を示し、ｎは１以上５以下の整数である。）
【請求項１０】
生体サンプル中に含まれる代謝物の検出方法であって、
基材と、染料粒子複合体と、検出対象とする代謝物を基質として過酸化水素を発生する酵素を含有する過酸化水素検出用構造体に前記生体サンプルを接触させる工程と、前記構造体に前記生体サンプルを接触させた後、前記染料粒子複合体を前記基材に塗布した領域の染料粒子複合体の発色量を測定する工程と、を有し、
前記染料粒子複合体が、粒子と、該粒子の表層に吸着した染料とを含み、
前記粒子が正帯電性の粒子であり、
前記染料が下記構造式１で表される構造を有することを特徴とする代謝物の検出方法。
【化１１】
2019214712.tif 000024
（ただし、構造式１中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立に、カルボン酸基、スルホン酸基、またはリン酸基であり、Ａ１からＡ５はσ値が正の置換基を示し、ｎは１以上５以下の整数である。）
【請求項１１】
生体サンプル中に含まれる過酸化水素の検出キットであって、
前記検出キットが、基材と染料粒子複合体を含有する過酸化水素検出用構造体を含み、
前記染料粒子複合体が、粒子と、該粒子の表層に吸着した染料とを含み、
前記粒子が正帯電性の粒子であり、
前記染料が下記構造式１で表される構造を有することを特徴とする検出キット。
【化１２】
2019214712.tif 000025
（ただし、構造式１中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立に、カルボン酸基、スルホン酸基、またはリン酸基であり、Ａ１からＡ５はσ値が正の置換基を示し、ｎは１以上５以下の整数である。）
【請求項１２】
生体サンプル中に含まれる代謝物の検出キットであって、
前記検出キットが、基材と、染料粒子複合体と、検出対象とする代謝物を基質として過酸化水素を発生する酵素を含有する過酸化水素検出用構造体を含み、
前記染料粒子複合体が、粒子と、前記粒子の表層に吸着した染料とを含み、
前記粒子が正帯電性の粒子であり、
前記染料が下記構造式１で表される構造を有することを特徴とする検出キット。
【化１３】
2019214712.tif 000026
（ただし、構造式１中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立に、カルボン酸基、スルホン酸基、またはリン酸基であり、Ａ１からＡ５はσ値が正の置換基を示し、ｎは１以上５以下の整数である。）
【請求項１３】
生体サンプルを前記構造体に接触させるための別体の容器を備えることを特徴とする、請求項１１または１２に記載の検出キット。
【請求項１４】
生体サンプル中に含まれる代謝物の検出キットであって、
前記キットが、基材と染料粒子複合体を含有する過酸化水素検出用構造体、および前記代謝物を基質として過酸化水素を発生する酵素、又は前記酵素の水溶液が内包されている別体の容器を備え、
前記染料粒子複合体が、粒子と、前記粒子の表層に吸着した染料とを含み、
前記粒子が正帯電性の粒子であり、
前記染料が下記構造式１で表される構造を有することを特徴とする検出キット。
【化１４】
2019214712.tif 000027
（ただし、構造式１中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立に、カルボン酸基、スルホン酸基、またはリン酸基であり、Ａ１からＡ５はσ値が正の置換基を示し、ｎは１以上５以下の整数である。）
【請求項１５】
過酸化水素または代謝物の量または濃度に応じた構造体の色変化をみるための、色相、明度または彩度を表す色見本を備えることを特徴とする、請求項１１乃至１４のいずれか１項に記載の検出キット。
【発明の詳細な説明】
【技術分野】
【０００１】
本発明は、過酸化水素検出を目的とする染料、染料粒子複合体、および過酸化水素検出用構造体に関する。
【背景技術】
【０００２】
過酸化水素の検出については、過酸化水素そのものの検出のみならず、酵素反応の生成物としての過酸化水素の検出の需要がある。
【０００３】
例えば、グルコース、尿酸、コレステロール、クレアチニン等の検出や定量においては、オキシダーゼなど、それぞれに特異的な酵素と反応させ、発生する過酸化水素の量から求めることができる。このような場合過酸化水素の検出、定量が必要である。
【０００４】
過酸化水素を検出するための物質としては、オキシダーゼやペルオキシダーゼのような酵素を用いる場合と、過酸化水素の存在下で検出可能な色変化（吸収や発光）を受ける機能性色素を用いる場合、あるいはそれらの組み合わせによる場合とがある。機能性色素として代表的なものとして、４−アミノアンチピリンとフェノール系化合物またはアニリン系化合物を組み合わせた被酸化性呈色試薬、３−メチル−２−ベンゾチアゾリンヒドラゾンとアニリン系化合物の組み合わせ試薬、２，２’−アジノビス（３−エチルベンゾチアゾリン−６−スルホン酸）、トリアリールメタン系色素、ベンゾジン誘導体、ｏ−トリアジン誘導体、ｏ−フェニレンジアミン等が挙げられる。この中でもトリアリールメタン系色素は、最大吸収波長が６５０ｎｍ付近にありヘモグロビンの吸収波長領域との重なりが少なく、分子吸光係数も１０５前後で非常に視認性が高いことから有用なものとして知られている（特許文献１〜７）。
【０００５】
過酸化水素を検知する染料を使用したデバイスの研究は近年盛んに行われている（非特許文献１）。
【０００６】
発明者らは生体サンプル中の対象物の検出を目的とし、タンパク質（アルブミン等）夾雑物の存在下で色素を用いた過酸化水素の検出が可能か確認したところ、色素が夾雑物に吸着しデバイス表面より剥離溶出してしまうため、安定した過酸化水素の検出は困難であった。
【０００７】
また、公知の染料では、過酸化水素反応性が十分でなく、この点においても、安定した過酸化水素検出は困難であった。従って、安定して過酸化水素を検出するデバイスを作製するためには、より高感度のトリアリールメタン染料を何らかの形で固定化する必要があるという認識に至った。
【０００８】
一方で、上記特徴を有するトリアリールメタン系色素をポリビニルアルコールに練りこんだものが、近年テロ等に用いられる過酸化アセトン（ＴＡＰＡ）の検知に使用されることが報告されている（非特許文献２）。非特許文献２によると、過酸化水素によるトリアリールメタンの分解反応（非特許文献３）を応用し、トリアリールメタン蒸気を感知することができると報告されている。しかしながら我々の検討では、色素を単純に樹脂に練りこむだけでは、夾雑物による、染料の剥離溶出を抑制することは困難であり、仮に高感度の染料があったとしても、生体サンプル中の過酸化水素を安定して検出することは困難であった。
【先行技術文献】
【特許文献】
【０００９】
【特許文献１】特開昭５６−２６１９９号公報
【特許文献２】特開昭５６−３１６４１号公報
【特許文献３】特開昭６０−１９４３６３号公報
【特許文献４】特開昭６０−２５６０５６号公報
【特許文献５】特開昭６２−２９６号公報
【特許文献６】特開昭６２−９３２６１号公報
【特許文献７】特開平３−２０６８９６号公報
【特許文献８】国際公開第２０１２／１３３６９６号
【非特許文献】
【００１０】
【非特許文献１】Anal. Bioanal. Chem. (2009) 395:301-313
【非特許文献２】Sensors and Actuators B 136 (2009) 458-463
【非特許文献３】J. Chem. Soc. FARADAY TRANS, 1993, 8, 18, 1203-12(9)
【非特許文献４】Chem. Rev. 1991, 97, 165-19
【発明の概要】
【発明が解決しようとする課題】
【００１１】
本発明は、生体サンプル中に存在する（または生体サンプル中で生成されて存在する）過酸化水素を、タンパク質等夾雑物の存在下でも安定して高感度で検出することが可能な、染料、染料粒子複合体および検出用構造体を提供する。
【課題を解決するための手段】
【００１２】
発明者らは、上記課題を解決するために鋭意検討した結果、下記構造式１で表される構造を有する染料を用い、過酸化水素を有効に検出できることを見出した。
【化１】
2019214712.tif 000002
ただし、構造式１中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立に、カルボン酸基、スルホン酸基、またはリン酸基であり、Ａ１からＡ５の少なくともいずれかのσ値が正の置換基を示し、ｎは１以上５以下の整数である。
【００１３】
また、粒子と、前記粒子の表層に吸着した染料とを含む染料粒子複合体であって、粒子が正帯電性の粒子であり、染料が、上記構造式１の構造で表され、中心電荷が正の値であることを特徴とする、染料粒子複合体の発明に至った。
【発明の効果】
【００１４】
本発明により、タンパク質等夾雑物の存在下でも安定した過酸化水素検出が高感度で可能な、染料、染料粒子複合体および検出用構造体の提供が可能となった。
【発明を実施するための形態】
【００１５】
本発明は、第一の実施形態として、下記構造式１で表される構造を有する染料を提供する。
【化２】
2019214712.tif 000003
ただし、構造式１中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立に、カルボン酸基、スルホン酸基、またはリン酸基であり、Ａ１からＡ５の少なくともいずれかのσ値が正の置換基を示し、ｎは１以上５以下の整数である。
【００１６】
染料はさらに好ましくは、下記構造式２、３または４で表される構造を有する。
【化３】
2019214712.tif 000004
【化４】
2019214712.tif 000005
【化５】
2019214712.tif 000006
ただし、構造式２、３および４中Ｒ１、Ｒ２はそれぞれ独立に水素原子または末端にベンゼン環を有してもよい炭素数が１から８の炭化水素鎖のいずれかであり、Ｒ３，Ｒ４は、それぞれ独立にカルボン酸基、スルホン酸基、またはリン酸基であり、Ａ６はσ値が正の置換基を表す。なお、炭化水素鎖、ベンゼン環は、置換基を有しても構わない。
【００１７】
本発明の第一の実施形態に係る染料は、過酸化水素の存在下で退色するという性質を有し、過酸化水素の検出に好ましく用いられる。すなわち、本発明は、さらなる実施形態として、過酸化水素検出用染料を提供する。
【００１８】
本実施形態における構造式１で表される染料の合成方法は特に限定されないが、例えば下記の合成スキームに示す公知の方法に基づいて合成することができる。
【化６】
2019214712.tif 000007
【００１９】
上記合成スキームでは、まず、化合物（Ａ）、化合物（Ｂ）および化合物（Ｃ）を、溶媒および縮合剤の存在下で縮合する縮合工程で化合物（Ｄ）を得た後、化合物（Ｄ）を、溶媒および酸化剤の存在下で酸化する酸化工程を経ることで、構造式５で表される化合物が得られる。ただし、化合物（Ａ）〜（Ｄ）の構造式および構造式５中Ｒ１からＲ４はそれぞれ独立に水素原子または末端にベンゼン環を有してもよい炭素数が１から８の炭化水素鎖のいずれかであり、Ａ１からＡ５の少なくともいずれかはσ値が正の置換基を示す。
【００２０】
初めに、上記合成スキームの縮合工程に用いる溶媒について説明する。上記縮合工程では、無溶媒で反応させることもできるが、溶媒を用いて反応することもでき、その場合溶媒は特に限定はないが、例えば、水、メタノール、エタノール、プロパノール、イソプロパノール、ブタノール、ｔｅｒｔ−ブタノール、エチレングリコール、グリセリン、Ｎ，Ｎ−ジメチルホルムアミド、Ｎ，Ｎ−ジメチルアセトアミド、Ｎ−メチル−２−ピロリドン、１，３−ジメチル−２−イミダゾリジノン、ジメチルスルホキシド、クロロベンゼン、１，２−ジクロロベンゼン、ニトロメタン、ニトロベンゼンなどを単独または混合して用いることが好ましい。
【００２１】
上記合成スキームの縮合工程に用いる縮合剤について説明する。上記縮合工程における縮合剤としては、特に限定はないが、例えば、硫酸、塩酸、リン酸、酢酸、蟻酸、塩化アルミニウム、塩化亜鉛などを単独または混合して用いることが好ましい。
【００２２】
構造式５において、Ｒ１とＲ３、Ｒ２とＲ４が、それぞれ同一の基である化合物を合成する場合には、上記合成スキーム中の化合物（Ｂ）と化合物（Ｃ）は同じ種類のものを使うことができる。
【００２３】
次に、上記合成スキームの酸化工程に用いる溶媒について説明する。上記酸化工程では、無溶媒で反応させることもできるが、溶媒を用いて反応することもでき、その場合溶媒は特に限定はないが、例えば、水、メタノール、エタノール、プロパノール、イソプロパノール、ブタノール、ｔｅｒｔ−ブタノール、エチレングリコール、グリセリン、Ｎ，Ｎ−ジメチルホルムアミド、Ｎ，Ｎ−ジメチルアセトアミド、Ｎ−メチル−２−ピロリドン、１，３−ジメチル−２−イミダゾリジノン、ジメチルスルホキシド、クロロベンゼン、１，２−ジクロロベンゼン、ニトロメタン、ニトロベンゼンなどを単独または混合して用いることが好ましい。
【００２４】
上記合成スキームの酸化工程に用いる酸化剤について説明する。上記酸化工程における酸化剤は特に限定はなく、例えば、酸化鉛、酸化亜鉛、酸化鉄、酸化マンガン、過酸化水素、クロラニル、酸素などを単独または混合して用いることが好ましい。
【００２５】
本実施形態に係る染料の具体例として化合物（１）から化合物（５１）を以下に示す。
【化７】
2019214712.tif 000008
【化８】
2019214712.tif 000009
【化９】
2019214712.tif 000010
【化１０】
2019214712.tif 000011
【化１１】
2019214712.tif 000012
【００２６】
本発明の第一の実施形態に係る染料は過酸化水素の存在下で退色が起こる。これは、主に、非特許文献３に記載されている機構による。すなわちトリアリールメタンの中心炭素（＋）部分に過酸化水素が結合することを開始反応とし、アリール基の脱離が起きる、染料の分解による不可逆反応と考えられる。
【００２７】
上記機構を有するため、本実施形態に係る染料を過酸化水素検出に用いる際、従来のトリアリールメタン系染料を用いた検知材料（ロイコ染料）とは異なり、ｐＨの変動等による色の復活等は起きえないため、ロイコ染料と比較して環境の変動を受けにくいという長所を有している。
【００２８】
本発明は第二の実施形態として、粒子と、前記粒子の表層に吸着した染料とを含む染料粒子複合体であって、粒子が正帯電性の粒子であり、染料が、本発明の第一の実施形態に係る染料であることを特徴とする、染料粒子複合体を提供する。
【００２９】
粒子の形状は特に問わないが、球形またはそれに類した形状の粒子が入手の容易さから好ましい。粒子の直径（粒径）は、特に限定はないが、好ましくは０．０１μｍ〜１０μｍ、さらに好ましくは０．０５μｍ〜０．２０μｍである。粒径が小さすぎる場合、夾雑物による剥離溶解が起きやすく、粒径が大きすぎる場合、発色性に問題を生じる場合がある。粒子は、有機、無機、有機−無機ハイブリッド材料等を挙げられる。粒子は、正帯電性のものが好ましいが、負帯電性または事実上帯電のない粒子表面を、シランカップリング剤や界面活性剤等で処理した粒子や、負帯電性の粒子をレイヤーバイレイヤー法により正帯電性とすることで、正帯電性の粒子として用いることができる。具体的には、ベンゾグアナミン・ホルムアルデヒド縮合物、ベンゾグアナミン・メラミン・ホルムアルデヒド縮合物、メラミン・ホルムアルデヒド縮合物、カチオン変性ポリアクリルアミド樹脂、カチオン変性ポリアミン樹脂、カチオン変性脂肪アミド樹脂、カチオン変性ポリアミドポリアミン樹脂、カチオン変性ポリアクリル酸エステル樹脂、カチオン変性ポリメタクリル酸エステル樹脂、ポリエチルイミン樹脂によるナノ粒子または、これら樹脂により表面修飾されたナノ粒子、Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシランの塩酸塩等で表面処理された、シリカ、アルミナ、アパタイト等の無機粒子が挙げられるが、これら粒子に限定されるものではない。本発明の実施形態において、中心電荷とは、ＤＦＴ計算で得られる、構造式中の＋で示される位置のマリケンチャージの計算値を中心電荷とした値である。中心電荷の値は構造式中、Ａ１からＡ６で記載される置換基構造のいわゆるハメットのσ値と相関があることが、我々の鋭意検討により判明している。本発明の実施形態において、σ値とは、非特許文献４記載のσｐ＋またはσｐ−の値を参考とした値である。σ値が正である置換基構造のより好ましい例としては、Ｂｒ、Ｃｌ、Ｆ、Ｉ、ＮＯ２、ＳＯ３−、Ｂ（ＯＨ）２、ＣＦ３，ＯＣＦ３、ＳＯ２ＮＨ２、ＳＯ２（ＣＦ３）、ＳＣＦ３，ＳｅＣＦ３，ＣＮ、ＣＯＯ−，ＣＯＯＲ（Ｒは炭化水素鎖）、ＣＯＯＨ，ＳＯ３Ｈ、ＣＦ２ＣＦ３、ＣＨ２ＣＮ，Ｃ６Ｆ５，ピリジルなどが挙げられ、感度上より好ましくは、ＮＯ２、ＳＯ２ＮＨ２、ＣＦ３，ＣＮ，ＣＯＯＨ，ＣＯＯＲが挙げられる。Ｒは、炭素数１以上３以下の炭化水素基であることが好ましい。なかでも、σ値が正である置換基は、ＣＯＯＨ、ＣＯＯＣＨ３、及びＣＮからなる群より選択される少なくとも１種であることが好ましい。
【００３０】
本実施形態における染料粒子複合体は、粒子表面に染料をイオン性結合で吸着するため、粒子から染料が脱離しづらい。
【００３１】
本実施形態における染料粒子複合体は、正帯電性の粒子表面に対して、イオン性置換基を有する、本発明の実施形態に係る染料を吸着させることにより製造できる。具体的には、水性溶剤中に正帯電性の粒子を超音波分散機等で分散し、得られる分散液と、水性溶剤に溶解した染料水溶液を混合する。１０分間ほど撹拌した後、遠心分離機等で固液分離を行い、必要に応じて水洗することで、目的とする染料が表面に吸着した染料粒子複合体が形成される。
【００３２】
本実施形態に係る染料粒子複合体は、目視で識別できる色を有するが、過酸化水素存在下では脱色が起こるため、過酸化水素の検出に好ましく用いられる。
【００３３】
また、本実施形態に係る染料粒子複合体は、過酸化水素検出に用いる際、染料単独で用いるよりも、感度が高く、また、夾雑物の影響も受けにくい。また、染料粒子複合体自体に重量があるため、染料単独で用いるよりも、基材に定着させやすい。
【００３４】
また、たとえば、染料を、ＰＶＡに直接練りこむような形態をとると、過酸化水素がしみこみづらいが、本実施形態に係る染料粒子複合体は、過酸化水素と接触しやすく、感度が高い。
【００３５】
本発明は第三の実施形態として、本発明の第二の実施形態に係る染料粒子複合体と基材とを含む、過酸化水素検出用構造体を提供する。
【００３６】
本実施形態の構造体においては、基材上の感知領域に本発明の第二の実施形態に係る染料粒子複合体が含有されることが好ましい。基材とは自立した材料を意味し、過酸化酸素に対する反応性が低ければ特に材質を選ばない。しかしながら染料粒子複合体を基材上に固定することが好ましく、粘着性の接着層を有するか、セルロースまたはμファイバー等を用いた紙、フェルト、編み物、不織布、または多孔質材料が望ましく、容易に入手可能なことから紙が推奨される。
【００３７】
本発明の第二の実施形態に係る染料粒子複合体は、本実施形態の過酸化水素検出用構造体に好ましく用いることができる。
【００３８】
また、本実施形態の過酸化水素検出用構造体は、必要に応じて代謝物を基質として過酸化水素を発生する酵素を併用することができる。酵素を併用した場合、本質的には酵素の生成物である過酸化水素を検出する構造体であるものの、様々な検出対象を検出することが可能となる。
【００３９】
本実施形態において併用することができる酵素として、グルコースオキシダーゼ（glucose oxidase）、ヘキソースオキシダーゼ（hexose oxidase）、コレステロールオキシダーゼ（cholesterol oxidase）、アリールアルコールオキシダーゼ（aryl-alcohol oxidase）、Ｌ−グロノラクトンオキシダーゼ（L-gulonolactone oxidase）、ガラクトースオキシダーゼ（galactose oxidase）、ピラノースオキシダーゼ（pyranose oxidase）、Ｌ−ソルボースオキシダーゼ（L-sorbose oxidase）、ピリドキシン４−オキシダーゼ（pyridoxine 4-oxidase）、アルコールオキシダーゼ（alcohol oxidase）、カテコールオキシダーゼ（catechol oxidase）、（Ｓ）−２−ヒドロキシ酸オキシダーゼ（(S)-2-hydroxy-acid oxidase）、エクジソンオキシダーゼ（ecdysone oxidase）、コリンオキシダーゼ（choline oxidase）、第二級アルコールオキシダーゼ（secondary-alcohol oxidase）、４−ヒドロキシマンデル酸オキシダーゼ（4-hydroxymandelate oxidase）、長鎖アルコールオキシダーゼ（long-chain-alcohol oxidase）、グリセロール−３−リン酸オキシダーゼ（glycerol-3-phosphate oxidase）、チアミンオキシダーゼ（thiamin oxidase）、ヒドロキシフィタン酸オキシダーゼ（hydroxyphytanate oxidase）、ヌクレオシドオキシダーゼ（nucleoside oxidase）、Ｎ−アシルヘキサソミンオキシダーゼ（N-acylhexosamine oxidase）、ポリビニルアルコールオキシダーゼ（polyvinyl-alcohol oxidase）、Ｄ−アラビノノ−１，４−ラクトンオキシダーゼ（D-arabinono-1,4-lactone oxidase）、バニリルアルコールオキシダーゼ（vanillyl-alcohol oxidase）、ヌクレオシドオキシダーゼ（Ｈ２Ｏ２形成）（nucleoside oxidase (H2O2-forming)）、Ｄ−マンニトールオキシダーゼ（D-mannitol oxidase）、アルジトールオキシダーゼ（alditol oxidase）、プロソラナピロン−ＩＩオキシダーゼ（prosolanapyrone-II oxidase）、パロマミン６’−オキシダーゼ（paromamine 6'-oxidase）、６’’’−ヒドロキシネオマイシンＣオキシダーゼ（６′′′-hydroxyneomycin C oxidase）、アクラシノマイシン−Ｎオキシダーゼ（aclacinomycin-N oxidase）、５−（ヒドロキシメチル）フルフラールオキシダーゼ（5-(hydroxymethyl)furfural oxidase）、３−デオキシ−α−Ｄ−マンノ−オクツロソン酸８−オキシダーゼ（3-deoxy-α-D-manno-octulosonate 8-oxidase）、（Ｒ）−マンデロニトリルオキシダーゼ（(R)-mandelonitrile oxidase）、アルデヒドオキシダーゼ（aldehyde oxidase）、ピルビン酸オキシダーゼ（pyruvate oxidase）、シュウ酸オキシダーゼ（oxalate oxidase）、グリオキシル酸オキシダーゼ（glyoxylate oxidase）、インドール−３−アセトアルデヒドオキシダーゼ（indole-3-acetaldehyde oxidase）、ピリドキサールオキシダーゼ（pyridoxal oxidase）、アリールアルデヒドオキシダーゼ（aryl-aldehyde oxidase）、４−ヒドロキシフェニルピルビン酸オキシダーゼ（4-hydroxyphenylpyruvate oxidase）、アブシシンアルデヒドオキシダーゼ（abscisic aldehyde oxidase）、（メチル）グリオキサールオキシダーゼ（(methyl)glyoxal oxidase）、コプロポルフィリノーゲンオキシダーゼ（coproporphyrinogen oxidase）、プロトポルフィリノーゲンオキシダーゼ（protoporphyrinogen oxidase）、ビリルビンオキシダーゼ（bilirubin oxidase）、アシルＣｏＡオキシダーゼ（acyl-CoA oxidase）、ジヒドロウラシルオキシダーゼ（dihydrouracil oxidase）、テトラヒドロベルベリンオキシダーゼ（tetrahydroberberine oxidase）、セコロガニンシンターゼ（secologanin synthase）、トリプトファンα，β−オキ��ダーゼ（tryptophan α,β-oxidase）、ピロロキノリンキノンシンターゼ（pyrroloquinoline-quinone synthase）、Ｌ−ガラクトノラクトンオキシダーゼ（L-galactonolactone oxidase）、アルボノウルシンシンターゼ（albonoursin synthase）、アクラシノマイシン−Ａオキシダーゼ（aclacinomycin-A oxidase）、コプロポルフィリノーゲンＩＩＩオキシダーゼ（コプロポルフィリン形成）（coproporphyrinogen III oxidase (coproporphyrin-forming)）、Ｄ−アスパラギン酸オキシダーゼ（D-aspartate oxidase）、Ｌ−アミノ酸オキシダーゼ（L-amino-acid oxidase）、Ｄ−アミノ酸オキシダーゼ（D-amino-acid oxidase）、アミンオキシダーゼピロドキサール５’−リン酸シンターゼ（amine oxidase、pyridoxal 5'-phosphate synthase）、Ｄ−グルタミン酸オキシダーゼ（D-glutamate oxidase）、エタノールアミンオキシダーゼ（ethanolamine oxidase）、プトレシンオキシダーゼ（putrescine oxidase）、Ｌ−グルタミン酸オキシダーゼ（L-glutamate oxidase）、シクロヘキシルアミンオキシダーゼ（cyclohexylamine oxidase）、タンパク質−リジン６−オキシダーゼ（protein-lysine 6-oxidase）、Ｌ−リジンオキシダーゼ（L-lysine oxidase）、Ｄ−グルタミン酸（Ｄ−アスパラギン酸）オキシダーゼ（D-glutamate(D-aspartate) oxidase）、Ｌ−アスパラギン酸オキシダーゼ（L-aspartate oxidase）、グリシンオキシダーゼ（glycine oxidase）、Ｌ−リジン６−オキシダーゼ（L-lysine 6-oxidase）、第一級アミンオキシダーゼ（primary-amine oxidase）、ジアミンオキシダーゼ（diamine oxidase）、７−クロロ−Ｌ−トリプトファンオキシダーゼ（7-chloro-L-tryptophan oxidase）、プソイドオキシニコチンオキシダーゼ（pseudooxynicotine oxidase）、Ｌ−アルギニンオキシダーゼ（L-arginine oxidase）、サルコシンオキシダーゼ（sarcosine oxidase）、Ｎ−メチル−Ｌ−アミノ酸オキシダーゼ（N-methyl-L-amino-acid oxidase）、Ｎ６−メチル−リジンオキシダーゼ（N6-methyl-lysine oxidase）、（Ｓ）−６−ヒドロキシニコチンオキシダーゼ（(S)-6-hydroxynicotine oxidase）、（Ｒ）−６−ヒドロキシニコチンオキシダーゼ（(R)-6-hydroxynicotine oxidase）、Ｌ−ピペコリン酸オキシダーゼ（L-pipecolate oxidase）、ジメチルグリシンオキシダーゼ（dimethylglycine oxidase）、ジヒドロベンゾフェナントリジンオキシダーゼ（dihydrobenzophenanthridine oxidase）、Ｎ１−アセチルポリアミンオキシダーゼ（N1-acetylpolyamine oxidase）、ポリアミンオキシダーゼ（プロパン−１，３−ジアミン形成）（polyamine oxidase (propane-1,3-diamine-forming)）、Ｎ８−アセチルスペルミジンオキシダーゼ（プロパン−１，３−ジアミン形成）（N8-acetylspermidine oxidase (propane-1,3-diamine  -forming)）、スペルミンオキシダーゼ（spermine oxidase）、非特異的ポリアミンオキシダーゼ（non-specific polyamine oxidase）、Ｌ−サッカロピンオキシダーゼ（L-saccharopine oxidase）、４−メチルアミノブタン酸オキシダーゼ（ホルムアルデヒド形成）（4-methylaminobutanoate oxidase (formaldehyde-forming)）、Ｎ−アルキルグリシンオキシダーゼ（N-alkylglycine oxidase）、４−メチルアミノブタン酸オキシダーゼ（メチルアミン形成）（4-methylaminobutanoate oxidase (methylamine-forming)）、コエンザイムＦ４２０Ｈ２オキシダーゼ（coenzyme F420H2 oxidase）、グリホサートオキシドレダクターゼ（glyphosate oxidoreductase）、ＮＡＤ（Ｐ）Ｈオキシダーゼ（Ｈ２Ｏ２形成）NAD(P)H oxidase (H2O2-forming)、ＮＡＤ（Ｐ）Ｈオキシダーゼ（Ｈ２Ｏ形成）（NAD(P)H oxidase (H2O-forming)）、Ｎ��ＤＨオキシダーゼ（Ｈ２Ｏ２形成）（NADH oxidase (H2O2-forming)）、ＮＡＤＨオキシダーゼ（Ｈ２Ｏ形成）（NADH oxidase (H2O-forming)）、レナラーゼ（renalase）、ニトロアルカンオキシダーゼ（nitroalkane oxidase）、アセチルインドキシルオキシダーゼ（acetylindoxyl oxidase）、因子非依存性尿酸ヒドロキシラーゼ（factor-independent urate hydroxylase）、３−ａｃｉ−ニトロプロパン酸オキシダーゼ（3-aci-nitropropanoate oxidase）、ヒドロキシルアミンオキシダーゼ（シトクロム）（hydroxylamine oxidase (cytochrome)）、亜硫酸オキシダーゼ（sulfite oxidase）、チオールオキシダーゼ（thiol oxidase）、グルタチオンオキシダーゼ（glutathione oxidase）、メタンチオールオキシダーゼ（methanethiol oxidase）、プレニルシステインオキシダーゼ（prenylcysteine oxidase）、ファルネシルシステインリアーゼ（farnesylcysteine lyase）、シトクロム−ｃオキシダーゼ（cytochrome-c oxidase）、ラッカーゼ（laccase）、Ｌ−アスコルビン酸オキシダーゼ（L-ascorbate oxidase）、ｏ−アミノフェノールオキシダーゼ（o-aminophenol oxidase）、３−ヒドロキシアントラニル酸オキシダーゼ（3-hydroxyanthranilate oxidase）、リファマイシン−Ｂオキシダーゼ（rifamycin-B oxidase）、フォトシステムＩＩ（photosystem II）、ユビキノールオキシダーゼ（Ｈ＋輸送）（ubiquinol oxidase (H+-transporting)）、ユビキノールオキシダーゼ（電位不形成型）（ubiquinol oxidase (non-electrogenic)）、メナキノールオキシダーゼ（Ｈ＋輸送）（menaquinol oxidase (H+-transporting)）、カルダリエラキノールオキシダーゼ（Ｈ＋輸送）（caldariellaquinol oxidase (H+-transporting)）、ユビキノールオキシダーゼ（電位形成型、非Ｈ＋輸送）（ubiquinol oxidase (electrogenic, non H+-transporting)）、グリキサゾンシンターゼ（grixazone synthase）、ジヒドロフェナジンジカルボン酸シンターゼ（dihydrophenazinedicarboxylate synthase）、フェロキシダーゼ（ferroxidase）、細菌性非ヘムフェリチン（bacterial non-heme ferritin）、プテリジンオキシダーゼ（pteridine oxidase）、キサンチンオキシダーゼ（xanthine oxidase）、６−ヒドロキシニコチン酸デヒドロゲナーゼ（6-hydroxynicotinate dehydrogenase）、ジュグロン３−ヒドロキシラーゼ（juglone 3-hydroxylase）、イソペニシリン−Ｎシンターゼ（isopenicillin-N synthase）、コルンバミンオキシダーゼ（columbamine oxidase）、レチクリンオキシダーゼ（reticuline oxidase）、スロクリンオキシダーゼ［（＋）−ビスデクロロゲオジン形成］（sulochrin oxidase [(+)-bisdechlorogeodin-forming]）、スロクリンオキシダーゼ［（−）−ビスデクロロゲオジン形成］（sulochrin oxidase [(-)-bisdechlorogeodin-forming]）、オーロイシジンシンターゼ（aureusidin synthase）、テトラヒドロカンナビノール酸シンターゼ（tetrahydrocannabinolic acid synthase）、カンナビジオール酸シンターゼ（cannabidiolic acid synthase）、スーパーオキシドジスムターゼ（superoxide dismutase）、スーパーオキシドレダクターゼ（superoxide reductase）、ＮＡＤＨペルオキシダーゼ（NADH peroxidase）、ＮＡＤＰＨペルオキシダーゼ（NADPH peroxidase）、脂肪酸ペルオキシダーゼ（fatty-acid peroxidase）、シトクロム−ｃペルオキシダーゼ（cytochrome-c peroxidase）、カタラーゼ（catalase）、ペルオキシダーゼ（peroxidase）、ヨージドペルオキシダーゼ（iodide peroxidase）、グルタチオンペルオキシダーゼ（glutathione peroxidase）、クロリドペルオキシダーゼ（chloride peroxidase）、Ｌ−アスコルビン酸ペルオキシダーゼ（L-ascorbate peroxidase）、リン脂質−ヒドロペルオキシドグルタチオンペルオキシダーゼ（phospholipid-hydroperoxide glutathione peroxidase）、マンガンペルオキシダーゼ（manganese peroxidase）、リグニンペルオキシダーゼ（lignin peroxidase）、ペルオキシレドキシン（peroxiredoxin）、万能ペルオキシダーゼ（versatile peroxidase）、グルタチオンアミド依存性ペルオキシダーゼ（glutathione amide-dependent peroxidase）、ブロミドペルオキシダーゼ（bromide peroxidase）、
色素脱色型ペルオキシダーゼ（dye decolorizing peroxidase）（Ｄｙｅ decolorizing peroxidase）、プロスタミド／プロスタグランジンＦ２αシンターゼ（prostamide/prostaglandin F2α synthase）、カタラーゼ−ペルオキシダーゼ（catalase-peroxidase）、ヒドロペルオキシ脂肪酸レダクターゼ（hydroperoxy fatty acid reductase）、（Ｓ）−２−ヒドロキシプロピルホスホン酸エポキシダーゼ（(S)-2-hydroxypropylphosphonic acid epoxidase）、フルクトシル−アミノ酸オキシダーゼ（Fructosyl-amino Acid Oxidase）、乳酸オキシダーゼ（Lactate Oxidase）、Ｌ−アルギニンオキシダーゼ（L -arginine oxidase）、Ｌ−ヒスチジンオキシダーゼ（L- histidine oxidase）、Ｌ−システインオキシダーゼ（L- cysteine oxidase）が挙げられるが、本実施形態において併用可能な酵素は上記酵素に限定されるものではない。
【００４０】
＜過酸化水素の検出方法＞
生体サンプル中に含まれる過酸化水素の検出方法は、以下の工程を有する。染料粒子複合体としては、上述に記載の複合体を用いる。発色量とは、色強度または蛍光強度の信号強度のことを指す：
（１）染料粒子複合体が基材に塗布された過酸化水素検出用構造体に、生体サンプルを接触させる工程；及び
（２）構造体に前記生体サンプルを接触させた後、前記染料粒子複合体を前記基材に塗布した領域の染料粒子複合体の発色量を測定する工程。
また、生体サンプル中に含まれる過酸化水素の検出方法は、（１）、（２）の他に以下の（３）の工程を有することが好ましい：
（３）構造体に生体サンプルを接触させた後、染料粒子複合体を基材に塗布した領域から漏出した染料粒子複合体の発色量を測定する工程。
【００４１】
＜代謝物の検出方法＞
生体サンプル中に含まれる代謝物の検出方法は、以下の工程を有する。染料粒子複合体としては、上述に記載の複合体を用いる：
（１）生体サンプルに、検出対象である代謝物を基質として過酸化水素を発生する酵素を加える工程；
（２）染料粒子複合体が基材に塗布された過酸化水素検出用構造体に、生体サンプルを接触させる工程；及び
（３）構造体に生体サンプルを接触させた後、染料粒子複合体を基材に塗布した領域の染料粒子複合体の発色量を測定する工程。
他の代謝物の検出方法は、代謝物の検出方法における（１）の工程ではなく、（１’）の工程を有する。染料粒子複合体としては、上述に記載の複合体を用いる：
（１’）基材と、染料粒子複合体と、検出対象とする代謝物を基質として過酸化水素を発生する酵素を含有する過酸化水素検出用構造体に生体サンプルを接触させる工程。
【００４２】
＜検出キット＞
本実施形態に係る過酸化水素検出用構造体を用いた生体サンプル中の過酸化水素または代謝物の検出キットを提供することができる。本実施形態に係る検出キットは、少なくとも染料粒子複合体が基材に固定されていればよく、染料粒子複合体が支持体上の基材に固定されていてもよい。過酸化水素を含んでいると思われる生体サンプルを構造体に直接滴下することで過酸化水素の量や濃度を測ることができる。また、生体サンプルに構造体を浸透させるための別体の容器を設けてもよい。別体の容器を設けることで、生体サンプルを構造体に対して均一に浸透させることができる。酵素及び酵素の水溶液を別体の容器内に予め内包していてもよい。その容器内に生体サンプルを添加すると同時に構造体を浸透させることもできる。また、その容器内に生体サンプルを添加し一定時間経過させて過酸化水素を発生させた後に、構造体を浸透させることもできる。
【００４３】
検出キットは、過酸化水素または代謝物の、量または濃度に応じた構造体の色（蛍光）変化をみるための、色相、明度や彩度を表した色見本を備えていてもよい。紙やプラスチック板などの別体に印刷されたものでもよい。構造体の変化後の色と色見本との比較により目視観察によって、生体サンプルに含まれる過酸化水素や代謝物の量または濃度を半定量的に判定することもできる。
【実施例】
【００４４】
以下に、実施例を挙げて本発明をより具体的に説明するが、本発明はその要旨を超えない限り、これらの実施例によって限定されるものではない。
【００４５】
＜化合物の同定＞
下記で合成した化合物は、下記の分析手法により同定を行った。
ＬＣ／ＭＳ質量分析：ＬＣ／ＴＯＦ  ＭＳ（ＬＣ／ＭＳＤ  ＴＯＦ；Ａｇｉｌｅｎｔ  Ｔｅｃｈｎｏｌｏｇｉｅｓ製）。なお、イオン化法としては、エレクトロスプレーイオン化法（ＥＳＩ）を利用した。
【００４６】
＜合成例＞
＜合成実施例１：化合物（１）の合成＞
Ｎ−エチル−Ｎ−（３−カルボキシベンジル）アニリン２．６０ｇおよびテレフタルアルデヒド酸０．７９ｇを、水１５ｍＬ中、硫酸５．０ｇの存在下において、７０℃で２４時間加熱して反応させた。この反応液を室温まで冷却した後、氷１００ｇ上に排出し、クロロホルムを加えて分液して水層を抽出した。ここに酸化マンガン２．００ｇを加え、室温で２４時間撹拌した。反応液をろ過し、ろ液に２ｍｏｌ／Ｌ水酸化ナトリウム水溶液を加えてｐＨ７．０に中和した後、塩化ナトリウムを加えて塩析し、ろ過して塩析物を回収した。塩析物をメタノール１００ｍＬに分散してろ過し、ろ液を減圧濃縮した後、カラムクロマトグラフィーにより精製することで、化合物（１）０．９６ｇを得た。得られた化合物が目的とする化合物の構造を持つことを、ＬＣ／ＴＯＦ  ＭＳ質量分析で確認した。ＬＣ／ＴＯＦ  ＭＳ質量分析の結果は以下のとおりであった。ｍ／ｚ＝６４２．２６３３（Ｍ＋）
【００４７】
＜合成実施例２：化合物（２）の合成＞
合成実施例１でのＮ−エチル−Ｎ−（３−カルボキシベンジル）アニリンを４−［（エチルフェニルアミノ）メチル］ベンゼンスルホン酸に換えた他は同様の方法で化合物（２）を０．８０ｇ得た。得られた化合物が目的とする化合物の構造を持つことを、ＬＣ／ＴＯＦ  ＭＳ質量分析で確認した。ＬＣ／ＴＯＦ  ＭＳ質量分析の結果は以下のとおりであった。ｍ／ｚ＝７１２．１８６８（Ｍ＋）
【００４８】
＜合成実施例３：化合物（９）の合成＞
合成実施例１でのテレフタルアルデヒド酸をイソフタルアルデヒド酸に換えた他は同様の方法で化合物（９）を０．８５ｇ得た。得られた化合物が目的とする化合物の構造を持つことを、ＬＣ／ＴＯＦ  ＭＳ質量分析で確認した。ＬＣ／ＴＯＦ  ＭＳ質量分析の結果は以下のとおりであった。ｍ／ｚ＝６４２．１６２９（Ｍ＋）
【００４９】
＜合成実施例４：化合物（１０）の合成＞
合成実施例２でのテレフタルアルデヒド酸をイソフタルアルデヒド酸に換えた他は同様の方法で化合物（１０）を０．９５ｇ得た。得られた化合物が目的とする化合物の構造を持つことを、ＬＣ／ＴＯＦ  ＭＳ質量分析で確認した。ＬＣ／ＴＯＦ  ＭＳ質量分析の結果は以下のとおりであった。ｍ／ｚ＝７１２．１９８７（Ｍ＋）
【００５０】
＜合成実施例５：化合物（１３）の合成＞
合成実施例２でのテレフタルアルデヒド酸をテレフタルアルデヒド酸メチルに換えた他は同様の方法で化合物（１３）を０．７５ｇ得た。得られた化合物が目的とする化合物の構造を持つことを、ＬＣ／ＴＯＦ  ＭＳ質量分析で確認した。ＬＣ／ＴＯＦ  ＭＳ質量分析の結果は以下のとおりであった。ｍ／ｚ＝７２６．２００７（Ｍ＋）
【００５１】
＜合成実施例６：化合物（４９）の合成＞
合成実施例１でのテレフタルアルデヒド酸を４−ホルミルベンゾニトリルに換えた他は同様の方法で化合物（４９）を０．８０ｇ得た。得られた化合物が目的とする化合物の構造を持つことを、ＬＣ／ＴＯＦ  ＭＳ質量分析で確認した。ＬＣ／ＴＯＦ  ＭＳ質量分析の結果は以下のとおりであった。ｍ／ｚ＝５６８．２１７８（Ｍ＋）
【００５２】
＜合成実施例７：化合物（５０）の合成＞
合成実施例１でのテレフタルアルデヒド酸を３−ホルミルベンゾニトリルに換えた他は同様の方法で化合物（５０）を０．７１ｇ得た。得られた化合物が目的とする化合物の構造を持つことを、ＬＣ／ＴＯＦ  ＭＳ質量分析で確認した。ＬＣ／ＴＯＦ  ＭＳ質量分析の結果は以下のとおりであった。ｍ／ｚ＝５６８．２２０２（Ｍ＋）
【００５３】
＜合成実施例８：化合物（５１）の合成＞
合成実施例１でのテレフタルアルデヒド酸を３−ホルミルベンゾニトリルに換えた他は同様の方法で化合物（５１）を０．６４ｇ得た。得られた化合物が目的とする化合物の構造を持つことを、ＬＣ／ＴＯＦ  ＭＳ質量分析で確認した。ＬＣ／ＴＯＦ  ＭＳ質量分析の結果は以下のとおりであった。ｍ／ｚ＝５６８．２１８９（Ｍ＋）
【００５４】
＜表面処理正帯電性粒子の作製例＞
本発明における表面処理による正帯電性粒子の作製方法を示すが、本発明はその要旨を超えない限り、これらの実施例によって限定されるものではない。
【００５５】
＜表面処理正帯電性粒子の作製例１＞
シリカ粒子（スノーテックＳＴＺＬ  日産化学製）をメタノールで１０ｗ％に希釈、次いでシリカ粒子の固形分量と同量のＮ−２−（アミノエチル）−３−アミノプロピルトリメトキシシラン（ＫＢＭ−６０３  信越シリコーン製）を滴下し、１２時間室温で撹拌を行った。撹拌終了後、メタノールを減圧除去、次いで２４時間加熱還流を行った。加熱還流終了後遠心処理、上澄み除去、イオン交換水での洗浄を行うことで目的とする表面処理正帯電粒子を作製した。
【００５６】
＜樹脂被覆正帯電性粒子の作製例２＞
シリカ粒子（スノーテックＳＴＺＬ  日産化学製）を水で１０ｗ％に希釈し、特許文献８と同様の方法で表層にポリ（ジアリールジメチルアンモニウムクロライド）（ＰＤＤＡ：シグマアルドリッチ製）を理論上１層被覆した樹脂被覆正帯電性粒子を作製した。
【００５７】
＜染料粒子複合体１の調製＞
２０ｗ％の正帯電性の粒子（エポスターＳＳ  日本触媒製）の水溶液に、１ｗ％の化合物（１）分子水溶液を滴下し、その後、１０分間超音波処理（Ｗ−１３３サンパ（本多電子製））を行なった。次いで遠心処理、上澄み液除去、イオン交換水を投入し、１０分間超音波処理し、上澄み液の電子吸収スペクトルを測定した。上澄み液の電子吸収スペクトルのピークトップ高さ（ａｂｓ）が０．１以下となるまで、超音波、遠心処理の工程を繰り返すことで、染料粒子複合体１を得た。
【００５８】
＜染料粒子複合体２の調製＞
正帯電性の粒子をエポスターＳ（日本触媒製）とした以外は、染料粒子複合体１の調製と同様の方法で染料粒子複合体２を得た。
【００５９】
＜染料粒子複合体３の調製＞
正帯電性の粒子をエポスターＳ６（日本触媒製）とした以外は、染料粒子複合体１の調製と同様の方法で染料粒子複合体３を得た。
【００６０】
＜染料粒子複合体４の調製＞
正帯電性の粒子をエポスターＳ１２（日本触媒製）とした以外は、染料粒子複合体１の調製と同様の方法で染料粒子複合体４を得た。
【００６１】
＜染料粒子複合体５の調製＞
正帯電性の粒子をエポスターＭＳ（日本触媒製）とした以外は、染料粒子複合体１の調製と同様の方法で染料粒子複合体５を得た。
【００６２】
＜染料粒子複合体６の調製＞
正帯電性の粒子を表面処理正帯電粒子とした以外は、染料粒子複合体１の調製と同様の方法で染料粒子複合体６を得た。
【００６３】
＜染料粒子複合体７の調製＞
正帯電性の粒子を樹脂被覆正帯電粒子とした以外は、染料粒子複合体１の調製と同様の方法で染料粒子複合体７を得た。
【００６４】
＜染料粒子複合体８の調製＞
化合物（１）を化合物（２）とした以外は、染料粒子複合体１の調製と同様の方法で染料粒子複合体８を得た。
【００６５】
＜染料粒子複合体９の調製＞
化合物（１）を化合物（９）とした以外は、染料粒子複合体１の調製と同様の方法で染料粒子複合体９を得た。
【００６６】
＜染料粒子複合体１０の調製＞
化合物（１）を化合物（１０）とした以外は、染料粒子複合体１の調製と同様の方法で染料粒子複合体１０を得た。
【００６７】
＜染料粒子複合体１１の調製＞
化合物（１）を化合物（１３）とした以外は、染料粒子複合体１の調製と同様の方法で染料粒子複合体１１を得た。
【００６８】
＜染料粒子複合体１２の調製＞
化合物（１）を化合物（４９）とした以外は、染料粒子複合体１の調製と同様の方法で染料粒子複合体１２を得た。
【００６９】
＜染料粒子複合体１３の調製＞
化合物（１）を化合物（５０）とした以外は、染料粒子複合体１の調製と同様の方法で染料粒子複合体１３を得た。
【００７０】
＜染料粒子複合体１４の調製＞
化合物（１）を化合物（５１）とした以外は、染料粒子複合体１の調製と同様の方法で染料粒子複合体１４を得た。
【００７１】
＜検知紙の製造方法＞
＜サンプル紙１＞
濾紙（Ａｄｖａｎｔｅｃ製）に染料粒子複合体１の水分散液（１０−４ｇ／Ｌ、１μＬ）を塗布し、乾燥させることで、サンプル紙１を得た。
【００７２】
＜サンプル紙２〜１４＞
染料粒子複合体１をそれぞれ染料粒子複合体２〜１４に替える以外は、サンプル紙１と同様の方法でサンプル紙２〜１４を得た。
【００７３】
＜比較サンプル紙＞
濾紙（Ａｄｖａｎｔｅｃ製）に染料１（化合物（１）からなる染料）の０．５ｍＭ水溶液１ｍＬを塗布し、乾燥させることで、比較サンプル紙を得た。
【００７４】
［実施例１］
サンプル紙１を、５ｍＭ過酸化水素および１０％（ｖ／ｖ）ウシ胎児血清を含む１×リン酸緩衝生理食塩水（２００μＬ）（反応漕）に室温で２時間浸透させることで評価した。反射濃度計ＳｐｅｃｔｒｏＬｉｎｏ（Ｇｒｅｔａｇ  Ｍａｃｂｅｔｈ製）にて、評価前後でのサンプル紙１の光学濃度（Ｏｐｔｉｃａｌ  Ｄｅｎｓｉｔｙ、以下ＯＤ値）を測定した。評価前のサンプル紙のＯＤ値をＯＤ０、評価後のサンプル紙のＯＤ値をＯＤ１とした。サンプル紙１を１０回作製し同様に評価を行い、１−ＯＤ１／ＯＤ０の平均値（ΔＯＤ）および、標準偏差（以下ＳＤ）を算出したところ、それぞれ０．７３と０．０３であった。
【００７５】
［実施例２］
サンプル紙１をサンプル紙２に替えた以外は実施例１と同様の方法で評価を行った。ΔＯＤおよびＳＤはそれぞれ０．５３と０．０２であった。
【００７６】
［実施例３］
サンプル紙１をサンプル紙３に替えた以外は実施例１と同様の方法で評価を行った。ΔＯＤおよびＳＤはそれぞれ０．４２と０．０２であった。
【００７７】
［実施例４］
サンプル紙１をサンプル紙４に替えた以外は実施例１と同様の方法で評価を行った。ΔＯＤおよびＳＤはそれぞれ０．３２と０．０３であった。
【００７８】
［実施例５］
サンプル紙１をサンプル紙６に替えた以外は実施例１と同様の方法で評価を行った。ΔＯＤおよびＳＤはそれぞれ０．２６と０．０２であった。
【００７９】
［実施例６］
サンプル紙１をサンプル紙６に替えた以外は実施例１と同様の方法で評価を行った。ΔＯＤおよびＳＤはそれぞれ０．７２と０．０８であった。
【００８０】
［実施例７］
サンプル紙１をサンプル紙７に替えた以外は実施例１と同様の方法で評価を行った。ΔＯＤおよびＳＤはそれぞれ０．７５と０．１１であった。
【００８１】
［実施例８］
サンプル紙１をサンプル紙８に替えた以外は実施例１と同様の方法で評価を行った。ΔＯＤおよびＳＤはそれぞれ０．７１と０．０３であった。
【００８２】
［実施例９］
サンプル紙１をサンプル紙９に替えた以外は実施例１と同様の方法で評価を行った。ΔＯＤおよびＳＤはそれぞれ０．６９と０．０１であった。
【００８３】
［実施例１０］
サンプル紙１をサンプル紙１０に替えた以外は実施例１と同様の方法で評価を行った。ΔＯＤおよびＳＤはそれぞれ０．７２と０．０１であった。
【００８４】
［実施例１１］
サンプル紙１をサンプル紙１１に替えた以外は実施例１と同様の方法で評価を行った。ΔＯＤおよびＳＤはそれぞれ０．６３と０．０２であった。
【００８５】
［実施例１２］
過酸化水素濃度を０．１ｍＭに替えた以外は実施例１と同様の方法で評価を行った。ΔＯＤおよびＳＤはそれぞれ０．２０と０．０７であった。
【００８６】
［実施例１３］
過酸化水素濃度を２０ｍＭに替えた以外は実施例１と同様の方法で評価を行った。ΔＯＤおよびＳＤはそれぞれ０．８７と０．０２であった。
【００８７】
［実施例１４］
ウシ胎児血清を除いた以外は実施例１と同様の方法で評価を行った。ΔＯＤおよびＳＤはそれぞれ０．７６と０．０３であった。
【００８８】
［実施例１５］
１．０％（ｖ／ｖ）ウシ胎児血清を用いた以外は実施例１と同様の方法で評価を行った。ΔＯＤおよびＳＤはそれぞれ０．７５と０．０４であった。
【００８９】
［実施例１６］
９９％（ｖ／ｖ）ウシ胎児血清を用いた以外は実施例１と同様の方法で評価を行った。ΔＯＤおよびＳＤはそれぞれ０．６１と０．０９であった。
【００９０】
［実施例１７］
サンプル紙１をサンプル紙１２に替えた以外は実施例１と同様の方法で評価を行った。ΔＯＤおよびＳＤはそれぞれ０．７０と０．０３であった。
【００９１】
［実施例１８］
サンプル紙１をサンプル紙１３に替えた以外は実施例１と同様の方法で評価を行った。ΔＯＤおよびＳＤはそれぞれ０．５４と０．０２であった。
【００９２】
［実施例１９］
サンプル紙１をサンプル紙１４に替えた以外は実施例１と同様の方法で評価を行った。ΔＯＤおよびＳＤはそれぞれ０．６１と０．０２であった。
【００９３】
［比較例１］
比較サンプル紙を用いた以外は実施例１２と同様の方法で評価を行った。ΔＯＤおよびＳＤはそれぞれ０．８２と０．２３であったが、反応漕が染料１で染色されてしまう現象が観測された。
【００９４】
［比較例２］
比較サンプル紙を用いた以外は実施例１３と同様の方法で評価を行った。ΔＯＤおよびＳＤはそれぞれ０．８１と０．２２であったが、反応漕が染料１で染色されてしまう現象が観測された。
【００９５】
［比較例３］
比較サンプル紙を用いた以外は実施例１４と同様の方法で評価を行った。ΔＯＤおよびＳＤはそれぞれ０．８８と０．２１であったが、反応漕が染料１で染色されてしまう現象が観測された。
【００９６】
［比較例４］
比較サンプル紙を用いた以外は実施例１５と同様の方法で評価を行った。ΔＯＤおよびＳＤはそれぞれ０．８３と０．２６であったが、反応漕が染料１で染色されてしまう現象が観測された。
【００９７】
［比較例５］
比較サンプル紙を用いた以外は実施例１６と同様の方法で評価を行った。ΔＯＤおよびＳＤはそれぞれ０．８６と０．３３であったが、反応漕が染料１で染色されてしまう現象が観測された。
【００９８】
評価としては、下記の基準とし、Ａ〜Ｃまでを許容レベル、Ｄを許容できないレベルとした。
Ａ：ＳＤ値が０．０５未満
Ｂ：ＳＤ値が０．０５以上、０．１未満
Ｃ：ＳＤ値が０．１以上、０．２未満
Ｄ：ＳＤ値が０．２以上
【００９９】
以下に本発明の実施例で得られたサンプル紙の評価結果を表１に記載する。
【表１】
2019214712.tif 000013